(57)【要約】      （修正有）【課題】バッジホールダー付き引込式バッジリールを提供する。【解決手段】バッジホールダー本体内にキャビティーが設置され、キャビティー内に回動軸３１が設けられ、固定手段が名札本体の後方に設けられ、名札をユーザの胸倉に固定させ、伸縮手段が回動プレート６を含み、回動プレート６の中央位置に前記キャビティー内回動軸３１に嵌合する軸孔が設置され、回動プレート６の円周面に凹溝６１を設置し、回動プレート６が前記キャビティー内に取付されて回動軸３１の周りに回動できる。リセット手段７が発条とし、発条の一端が回動プレート６に固定され、他端が前記回動軸３１に固定され、回動プレートを復位駆動できる。伸縮リード５は、回動プレート６の円周面上の凹溝６１内に巻き付けられ、線の端が前記キャビティーのライン孔から引出される。係止体４の一端がライン孔から引出される伸縮リード５に固接されるし、他端に随身対象の係止可能なフックを設置する。【選択図】図３
0003186109.tif 000002
【実用新案登録請求の範囲】
【請求項１】
名札IDを印刷或は取付させ、名札ID個人の所属部門及び職務等級別を記憶するための名札識別手段と、
内部に回動軸が設けられ、バッジホールダー本体内に設けられるキャビティーと、
名札本体の後方に設けられ、名札をユーザの胸倉に固定するための名札固定手段と、を含むバッジホールダー本体と、
中央位置に前記キャビティー内にある回動軸（31）に嵌合する軸孔（62）が設置され、円周面に凹溝（61）が設置され、前記キャビティー内に取付されて回動軸（31）の周りに回動できる回動プレート（6）と、
発条であり、発条の一端が回動プレート（6）に固定され、他端が前記回動軸（31）に固定され、回動プレートを復位駆動するためのリセット手段（7）と、
回動プレート（6）の円周面にある凹溝（61）内に巻き付けられ、回動プレート（6）の回動及び伸縮により、線の端が前記キャビティーのライン孔から引出される伸縮リード（5）と、を含む伸縮手段と、
一端が引出ライン孔の伸縮リード（5）に固接され、他端に随身対象の係止可能なフックを設置する係止体（4）と、
を含んでいることを特徴とするバッジホールダー付き引込式バッジリール。
【請求項２】
前記バッジホールダー本体は名札識別手段を含んでおり、
上記名札識別手段は、
名札可視窓（11）が設置される上蓋（1）と、
上蓋（1）と活動可能に接続し、上蓋（1）との間に個人の所属部門及び職務等級別を記憶するための名札IDを入れさせるキャビティー（10）が形成される中蓋（2）と、
中蓋（2）への接続により、伸縮手段が取付されるキャビティーを形成され、該キャビティー内部の中央位置に回動軸（31）が設置され、該キャビティーの下方にライン孔が設置される下蓋（3）と、を含んており、前記回動プレート（6）がキャビティー内の回動軸（31）に取付され、伸縮リード（5）がライン孔から引出されることを特徴とする請求項1に記載のバッジホールダー付き引込式バッジリール。
【請求項３】
前記バッジホールダー本体の固定手段が掛けクランプ、磁石或はピントルとすることを特徴とする請求項1に記載のバッジホールダー付き引込式バッジリール。
【請求項４】
前記バッジホールダー本体の上蓋（1）が曲面とし、上蓋（1）の内側両辺に軌道溝（13）が設置され、下方に係止溝（12）が設置され、中蓋（2）には上蓋（1）曲面に嵌合する曲面が設置され、中蓋の両側には上蓋（1）軌道溝（13）に嵌合するスライドレートが設置され、且つ係止溝（12）に嵌合する係止ブロック（21）が設置されることを特徴とする請求項2に記載のバッジホールダー付き引込式バッジリール。
【請求項５】
前記バッジホールダー本体の中蓋（2）における下蓋（3）に向かう面に方形溝（23）が設置され、バッジホールダー本体の下蓋（3）における中蓋（2）方形溝（23）に対応する位置には他方の方形溝（32）が設置され、中蓋（2）上の方形溝（23）と下蓋（3）上の方形溝（32）とが相互に嵌接することで伸縮手段が収容されるキャビティーを形成することを特徴とする請求項2に記載のバッジホールダー付き引込式バッジリール。
【請求項６】
前記バッジホールダー本体の中蓋（2）におけるにライン孔対応する位置に凸部（22）が設置され、凸部（22）におけるライン孔に対する両側には二つの位置決め柱（24、25）を設置し、バッジホールダー本体の下蓋（3）におけるライン孔に対応する位置には、中蓋（2）の凸部（22）に対応する凸部（33）が設置され、該凸部（33）には二つの位置決め柱（24、25）に嵌合する位置決め孔が設置されることを特徴とする請求項2に記載のバッジホールダー付き引込式バッジリール。
【請求項７】
前記バッジホールダー本体の固定手段が掛けクランプ（8）であり、下蓋（3）に掛けクランプ（8）の取付孔（36）が設置され、取付孔（36）内に下蓋（3）と一体成型される位置決め凸部（37）が設置され、掛けクランプ（8）が弾性金属片で作製され、取付部（36）に通孔（81）が設置され、取付部が下蓋（3）の取付孔（36）に挿入された後、位置決め凸部（37）が通孔（81）内に嵌入して位置決め、掛けクランプ（8）が下蓋（3）のパネルを挟持することを特徴とする請求項2に記載のバッジホールダー付き引込式バッジリール。
【請求項８】
前記下蓋（3）における掛けクランプ（8）の挟持点に対応する位置に凹溝（38）が設置されることを特徴とする請求項7に記載のバッジホールダー付き引込式バッジリール。
【請求項９】
前記中蓋（2）及び下蓋（3）におけるライン孔に対応する位置にある凸部（22、33）の端面は、それぞれ弧面であることを特徴とする請求項6に記載のバッジホールダー付き引込式バッジリール。
【請求項１０】
前記係止体（4）における伸縮リード（5）に接続する端面は、弧面（41）とし、且つ突起の弧面に嵌合することを特徴とする請求項9に記載のバッジホールダー付き引込式バッジリール。
【請求項１１】
前記下蓋（3）後方の上部に更にピントル機構が設置され、該ピントル機構が下蓋（3）両側の固定杭（34、35）及びピントル本体（9）を含み、ピントル本体（9）の一端が一方の固定杭（34）に固定され、他端が他方の固定杭（35）に嵌接することを特徴とする請求項7に記載のバッジホールダー付き引込式バッジリール。
【考案の詳細な説明】
【技術分野】
【０００１】
本実用新案は、バッジホールダー付き引込式バッジリールに関し、バッジホールダーにより個人の所在部門及び等級別資料を表示し、引込式バックルへのアクセスカードの係止を結合し、異なる部門及び等級別の個人の出入り所属範囲への安全限定に便利する。
【背景技術】
【０００２】
従来の技術では、一般的な引込式バッジリールは、ケース、ケースの内部キャビティーに設けられるリセット手段、引込接線、係止体により構成され、鍵リング、ワークカード、アクセスカード等の随身対象の係止に応用されることに便利し、使用時に係止体をケースから脱出し、不使用時にリセット手段の作用で自動に収縮させ、収納に便利し、企業の職員及び在宅のユーザに大人気がある。
【考案の概要】
【考案が解決しようとする課題】
【０００３】
しかしながら、従来の技術による引込式バッジリールは、機能が単一で、より一層として改良空間がある。
【０００４】
本実用新案の目的は、従来の技術の不足を克服するために、バッジホールダー付き引込式バッジリールを提供することにあり、本実用新案を利用すれば、こ個人の所属部門及び等級別資料を名札にセットする可能となり、識別に便利し、引込式バッジリールにアクセスカード、ワークカード或は鍵等を引っ掛かることを結合し、使用時に係止体をからケースから脱出でき、不使用時にリセット手段の作用で自動に収縮させ、収納に便利し、紛失を防止できる。
【課題を解決するための手段】
【０００５】
前記目的を達成するために、本実用新案は、以下の技術案を採用する：
名札IDを印刷或は取付させ、名札ID個人の所属部門及び職務等級別を記憶するための名札識別手段と、
内部に回動軸が設けられ、バッジホールダー本体内に設けられるキャビティーと、
名札本体の後方に設けられ、名札をユーザの胸倉に固定するための名札固定手段と、を含むバッジホールダー本体と、
中央位置に前記キャビティー内にある回動軸に嵌合する軸孔が設置され、円周面に凹溝が設置され、前記キャビティー内に取付されて回動軸の周りに回動できる回動プレートと、
発条であり、発条の一端が回動プレートに固定され、他端が前記回動軸に固定され、回動プレートを復位駆動するためのリセット手段と、
回動プレートの円周面にある凹溝内に巻き付けられ、回動プレートの回動及び伸縮により、線の端が前記キャビティーのライン孔から引出される伸縮リードと、を含む伸縮手段と、
一端が引出ライン孔の伸縮リードに固接され、他端に随身対象の係止可能なフックを設置する係止体と、
を含んでいることを特徴とするバッジホールダー付き引込式バッジリールである。
前記バッジホールダー本体は、
名札可視窓が設置される上蓋と、
上蓋と活動可能に接続し、上蓋との間に個人の所属部門及び職務等級別を記憶するための名札IDを入れさせるキャビティーが形成される中蓋と、
中蓋への接続により伸縮手段が取付されるキャビティーを形成され、該キャビティー内部の中央位置に回動軸が設置され、該キャビティーの下方にライン孔が設置される下蓋と、を含む名札識別手段を含んでおり、前記回動プレートがキャビティー内の回動軸に取付され、伸縮リードがライン孔から引出される。
【０００６】
前記バッジホールダー本体の固定手段が掛けクランプ、磁石或はピントルである。
【０００７】
前記バッジホールダー本体の上蓋が曲面とし、上蓋内側の両辺に軌道溝が設置され、下方に係止溝が設置され、中蓋には上蓋の曲面に嵌合する曲面が設置され、中蓋の両側には、上蓋の軌道溝に嵌合するスライドレールが設置され、且つ係止溝に嵌合する係止ブロックが設置される。
【０００８】
前記バッジホールダー本体の中蓋における下蓋に向かう面には、方形溝が設置され、バッジホールダー本体の下蓋における中蓋方形溝に対応する位置には、他方の方形溝が設置され、中蓋の方形溝と下蓋の方形溝とが相互に嵌接することで伸縮手段が収容されるキャビティーを形成する。
【０００９】
前記バッジホールダー本体の中蓋におけるライン孔に対応する位置には、凸部が設置され、凸部におけるライン孔に対する両側には、二つの位置決め柱が設置され、バッジホールダー本体下蓋におけるライン孔に対応する位置には、中蓋の凸部に対応する凸部が設置され、該凸部には二つの位置決め柱に嵌合する位置決め孔が設置される。
【００１０】
前記バッジホールダー本体固定手段が掛けクランプとし、下蓋に掛けクランプ取付孔が設置され、取付孔内には下蓋と一体成型される位置決め凸部が設置され、掛けクランプが弾性金属片で作製させ、その中で取付部に通孔が設置され、取付部が下蓋の取付孔に挿入された後、位置決め凸部が通孔内に嵌め込んで位置決め、掛けクランプが下蓋のパネルを挟持する。
【００１１】
前記下蓋における掛けクランプの挟持点に対応する位置に凹溝が設置される。
【００１２】
前記中蓋及び下蓋におけるライン孔に対応する位置の凸部の端面がそれぞれ弧面とする。
【００１３】
前記係止体における伸縮リードに接続する端面が弧面とし、且つ突起の弧面に嵌合する。
【００１４】
前記下蓋の後方上部に更にピントル機構が設置され、該ピントル機構が下蓋両側の固定杭及びピントル本体を含み、ピントル本体の一端が一方の固定杭に固定され、他端が他方の固定杭と嵌接する。
【考案の効果】
【００１５】
前記構造を使用するので、個人の所属部門及び等級別資料を名札にセットする可能となり、識別に便利する。引込式バッジリールを結合してアクセスカード、ワークカード或は鍵等を引っ掛けることができる。使用時に係止体をケースから脱出でき、不使用時にリセット手段の作用で自動に収縮し、収納に便利し、紛失を防止できる。両者合一の機能は、使用者に極大の便利をもたらし、安全部門がより一層として識別管理に便利させる。
【図面の簡単な説明】
【００１６】
【図１】図1は本実用新案の正面の構造見取図である。
【図２】図2は本実用新案の背面の構造見取図である。
【図３】図3は本実用新案の凸面の構造分解図である。
【図４】図4は本実用新案の背面の構造分解図である。
【図５】図5は本実用新案の断面図である。
【考案を実施するための形態】
【００１７】
以下、図面と実施形態を結合して本実用新案をより詳細に説明する。
【００１８】
図1〜5の示すように、バッジホールダー付き引込式バッジリールは、バッジホールダー本体、伸縮手段及び係止体を含む。その中で：
バッジホールダー本体が名札識別手段及び下蓋（3）を含み、該名札識別手段が上蓋1及び中蓋2を含む。その中で上蓋1が曲面とし、曲面上に名札識別標識を印刷できる。本実施例は、上蓋1の板面に名札窓11が設置され、上蓋1の内側の両辺に軌道溝13が設置され、その下方に係止溝12が設置される。中蓋2に上蓋1の曲面に嵌合する曲面が設置され、中蓋2の両側に上蓋1の軌道溝13に嵌合するスライドレールが設置され、且つ係止溝12に嵌合する係止ブロック21が設置される。上蓋1と中蓋2とが軌道溝13を介してスライドレールと活動可能に接続し、係止ブロック21と係止溝12との係止により上蓋1と中蓋2とが相対固定させ、上蓋1と中蓋2との間に名札IDが可入れるキャビティー10を形成する。中蓋2における下蓋3に向かう面に方形溝23を設置し、下蓋3における中蓋2の方形溝23に対応する位置には他方の方形溝32が設置され、中蓋2にある方形溝23と下蓋3にある方形溝32とが相互に嵌接することにより伸縮手段が収容されるキャビティーを形成する。キャビティーの下方にライン孔が設置され、下蓋3がキャビティー内部の中央位置に回動軸31が設置される。中蓋2におけるライン孔に対応する位置には、凸部22が設置され、凸部22におけるライン孔に対する両側には、二つの位置決め柱24、25が設置される。バッジホールダー本体の下蓋3におけるライン孔に対応する位置には、中蓋2の凸部22に対応する凸部33が設置され、突起22、33の端面が弧面とし、該凸部33には、二つの位置決め柱24、25に嵌合する位置決め孔が設置される。下蓋3に掛けクランプ取付孔36が設置され、取付孔36内に下蓋3と一体成型される位置決め凸部37が設置される。
【００１９】
伸縮手段は、回動プレート6及びリセット手段7を含み、回動プレート6の中央位置に軸孔62が設置され、回動プレート6の円周面に凹溝61が設置され、伸縮リード5の一端が凹溝61内に固定され、伸縮リード5回動プレート6の凹溝61内に巻き付けられる。リセット手段7は発条とし、この発条が回動プレート6のキャビティー内に取付され、一端が回動プレート6上に固定され、他端が回動軸31に固定され、発条が回動プレート6を復位駆動させる。回動プレート6が中央位置の軸孔62により下蓋3の回動軸31に嵌接して、且つ回動軸31に相対して回動でき、伸縮リード5がバッジホールダー本体の下方のライン孔から引出される。
【００２０】
係止体4の上端が伸縮リード5に固接され、係止体4における伸縮リード5に接続する端面が弧面41とし、且つ突起の弧面に嵌合し、係止体4の下端にフックが設置される。
【００２１】
掛けクランプ8が弾性金属片で作製され、その中で取付部に通孔81が設置され、取付部が下蓋3の取付孔36に挿入された後、位置決め凸部37が通孔81内に嵌入して位置決め、掛けクランプ8が下蓋3のパネルを挟持する。下蓋3における掛けクランプ8の挟持点に対応する位置に凹溝38が設置される。掛けクランプ8がバッジホールダー本体の下蓋3に固定される後、ことができる将バッジホールダー本体をポケットに引っ掛る。
【００２２】
更に、下蓋3の後方の上部に更にピントル機構が設置でき、該ピントル機構が下蓋3の両側にある固定杭34、35及びピントル本体9を含み、ピントル本体9の一端が固定杭34に固定され、他端が他方の固定杭35と嵌接する。ピントル機構及び掛けクランプ8とがバッジホールダー本体の固定手段を構成し、また、固定手段は、更に使用磁石で代替でき、ここで挙げしていない。
【図１】
0003186109.tif 000003
【図２】
0003186109.tif 000004
【図３】
0003186109.tif 000005
【図４】
0003186109.tif 000006
【図５】
0003186109.tif 000007